(57)【要約】【課題】引抜き力に対して高い耐力を発揮することができるアンカーを提供する。【解決手段】コンクリート５中に埋め込まれる主軸部３の長手方向の中間部から上端部に至るいずれかの位置において、主軸部を挟む両側に、側方ないしは斜め下方に張り出してコンクリート５中に埋込み状態となる側方張り出し筋６…が、主軸部３と一体的に備えられている。【選択図】      図１
2006097393.tif 000002
【特許請求の範囲】
【請求項１】
コンクリート中に埋め込まれる主軸部の長手方向の中間部から上端部に至るいずれかの位置において、主軸部を挟む両側に、側方ないしは斜め下方に張り出してコンクリート中に埋込み状態となる側方張り出し筋が、主軸部と一体的に備えられていることを特徴とするアンカー。
【発明の詳細な説明】
【技術分野】
【０００１】
本発明は、建物のコンクリート基礎などに用いられるアンカーに関する。
【背景技術】
【０００２】
住宅用等の建物のコンクリート布基礎に用いられる従来のアンカーボルトとして、図３（イ）に示すように、基礎コンクリート５５中に埋め込まれる主軸部５３が備えられ、該主軸部５３と周囲コンクリート５５との付着力によって引抜きに耐えるようにしたものがある。
【発明の開示】
【発明が解決しようとする課題】
【０００３】
しかしながら、上記のようなアンカーボルト５１では、図３（ロ）に示すように、引抜き力Ｆによって基礎５２に強い曲げがかかると、基礎５２の天面側のコンクリート５５にクラック５６が入り、主軸部５３とコンクリート５５との付着が一部切られて、引抜き耐力が低下してしまうことがあるという問題がある。
【０００４】
本発明は、上記のような問題点に鑑み、引抜き力に対して高い耐力を発揮することができるアンカーを提供することを課題とする。
【課題を解決するための手段】
【０００５】
上記の課題は、コンクリート中に埋め込まれる主軸部の長手方向の中間部から上端部に至るいずれかの位置において、主軸部を挟む両側に、側方ないしは斜め下方に張り出してコンクリート中に埋込み状態となる側方張り出し筋が、主軸部と一体的に備えられていることを特徴とするアンカーによって解決される。
【０００６】
このアンカーでは、引抜き力によってコンクリートの表面側に引張りの曲げ応力を生じると、主軸部の両側に該主軸部と一体的に備えられている側方張り出し筋が、クラックの入りを抑制ないしは防止するように働き、コンクリートと主軸部の付着切れを抑制ないしは防止して、引抜き力に対して高い耐力を発揮することができる。
【０００７】
しかも、側方張り出し筋は、主軸部の長手方向の中間部から上端部に至るいずれかの位置に備えられているので、クラックの入り及びコンクリートと主軸部の付着切れを効果的に抑制ないしは防止することができる。
【０００８】
加えて、側方張り出し筋は主軸部に一体に備えられているので、施工においては、このアンカーをセットしてコンクリートを打ち込むだけでよく、施工を容易に行うことができる。
【発明の効果】
【０００９】
本発明は、以上のとおりのものであるから、引抜き力による主軸部とコンクリートとの付着の低下を防止して、引抜き力に対して高い耐力を発揮することができる。
【発明を実施するための最良の形態】
【００１０】
次に、本発明の実施最良形態を図面に基づいて説明する。
【００１１】
図１に示す第１実施形態のアンカーボルト１は、コンクリートの布基礎などの基礎梁２に用いられるもので、３は主軸部、４はジョイント用のボルト部、５…は側方張り出し筋であり、図１（イ）に示すように、側方張り出し筋６…は、主軸部３の長手方向の中間部から上端部に至る範囲において上下方向に複数段備えられ、各段において、コンクリート基礎梁２の延びる両方向に向け、斜め下方に張り出して備えられている。なお、最上段の両張り出し筋６は、コンクリート５のかぶり厚さを確保できる範囲でできるだけ上方位置に備えられているのがよい。
【００１２】
そして、本実施形態における側方張り出し筋６は、鉄筋棒の基端部６ａを屈曲させてそこを主軸部３への取付け部とし、該取付け部６ａが主軸部３に溶接などで一体的に取り付けられて、張り出し筋本体部６ｂが斜め下方に張り出すように備えられている。
【００１３】
上記のアンカーボルト１では、図１（ロ）に示すように、主軸部３と側方張り出し筋６…をコンクリート５中に埋込み状態にした基礎梁２のアンカーボルト１に引抜き力Ｆが作用し、基礎梁２に曲げがかかり、基礎梁２の上面側のコンクリート部５に引張りの曲げ応力が作用すると、主軸部３と一体化し該コンクリート部５に対して付着状態となって斜め下方に張り出している側方張り出し筋６…が、該曲げ応力に対抗して主軸部３と周囲コンクリート５との間にクラックが入るのを抑制ないしは防止するように効果的に働き、コンクリート５と主軸部３の付着切れを抑制ないしは防止して、引抜き力Ｆに対して高い耐力を発揮することができる。
【００１４】
特に、側方張り出し筋６…は、斜め下方に張り出しているので、引抜き力によって基礎梁コンクリートの上面側に作用する引張りの曲げ応力の方向に沿うことができて、主軸部３とコンクリート５との間へのクラックの入りを効果的に抑制ないしは防止することができる。
【００１５】
また、上記のアンカーボルト１によれば、側方張り出し筋６…は主軸部３と一体的に備えられているので、型枠内にアンカーボルト１をセットしてコンクリートを打ち込むだけで上記のような効果を得られ、施工を容易に行うことができる。
【００１６】
図２に示す第２実施形態のアンカーボルト１は、側方張り出し筋６…が曲線状をして斜め下方に張り出したもので、側方張り出し筋６の基端側から先端側に至る多くの部分が、コンクリート５側の引張り応力に効果的に対抗することができるようになり、クラックの発生をより一層効果的に防ぐことができる。
【００１７】
なお、各段においてそれぞれ別の側方張り出し筋を各方向に張り出させるようにしてもよいし、両側方一体ものの円弧状の側方張り出し筋の中央部を主軸部３に溶接等で取り付けたものであってもよい。第１実施形態のアンカーボルト１についても、山形に屈折させた両側方一体ものの側方張り出し筋の中央屈折部を主軸部３に溶接等で取り付けたものであってもよい。
【００１８】
以上に、本発明の実施形態を示したが、本発明はこれに限られるものではなく、発明思想を逸脱しない範囲で各種の変更が可能である。例えば、上記の実施形態では、布基礎などのコンクリート基礎梁に用いられるアンカーを対象とした場合を示しているが、コンクリート基礎梁に限らず、コンクリート構造物のコンクリート梁の下面側に備えられるアンカーとして構成されていてもよいし、また、コンクリートスラブの上面側や下面側に備えられるアンカーとして構成されていてもよい。コンクリートスラブに用いる場合は、側方張り出し筋を三方以上に張り出させるとより効果的であり、側方張り出し筋として傘状などの面状筋が用いられてもよい。
【００１９】
即ち、本発明でいう「長手方向の中間部から上端部」の文言や「側方ないしは斜め下方に」の文言における「上」「下」の語は、主軸部においてボルト部４あるいはナット部等の他の部材とのジョイント部が備えられている側を「上」とした場合の概念であり、そのため、例えば、アンカーのジョイント部側を下にして用いる場合は、上を下、下を上と考えて解釈しなければならない。
【００２０】
また、上記の実施形態では側方張り出し筋が斜め下方に張り出している場合を示したが、側方、即ち真横に張り出していてもよいし、斜め下方と側方が組み合わされて備えられていてもよい。また、主軸部の長手方向に沿って複数の側方張り出し筋が備えられている場合には、主軸部の上端側の側方張り出し筋の傾斜小さくし、あるいは、なくし、主軸部の下端側の側方張り出し筋の傾斜を大きくする構成となされていてもよく、その場合には、各側方張り出し筋が、コンクリートに生じる引張りの曲げ応力をより的確にとらえて対抗することができる。
【図面の簡単な説明】
【００２１】
【図１】図（イ）は第１実施形態のアンカーを示す正面図、図（ロ）はその使用状態を示す正面図である。
【図２】図（イ）は第２実施形態のアンカーを示す正面図、図（ロ）はその使用状態を示す正面図である。
【図３】図（イ）は従来のアンカーを示す正面図、図（ロ）はその使用状態を示す正面図である。
【符号の説明】
【００２２】
１…アンカーボルト（アンカー）
３…主軸部
６…側方張り出し筋
【図１】
2006097393.tif 000003
【図２】
2006097393.tif 000004
【図３】
2006097393.tif 000005